(57)【要約】【課題】プリンタコントローラあるいはプリンタエンジンコントローラにエラーが生じた場合印刷作業は中断し、手動でプリンタコントローラもしくはプリンタエンジンコントローラをセットしなおさなければならない。【解決手段】プリンタコントローラあるいは前記プリンタエンジンコントローラにエラーが生じた場合、自動的に前記エラー監視システムが前記プリンタあるいは、前記プリンタコントローラと、前記プリンタエンジンコントローラへの電源の供給を停止、再供給することを特徴とする印刷システム。【選択図】  図１
2004178516.tif 000002
【特許請求の範囲】
【請求項１】
プリンタエンジンを動かすプリンタエンジンコントローラと、前記プリンタエンジンコントローラを制御しているプリンタコントローラと、前記プリンタコントローラと前記プリンタエンジンコントローラに電源の供給・停止を行うスイッチング回路及び該回路を制御するエラー監視システムと、前記エラー監視システムと前記ホストコンピュータ間に備えたインターフェース部とからなる、印刷データに基づいて印刷を行うプリンタを備えた印刷システムにおいて、前記プリンタコントローラあるいは前記プリンタエンジンコントローラにエラーが生じた場合、自動的に前記エラー監視システムが前記プリンタあるいは、前記プリンタコントローラと、前記プリンタエンジンコントローラへの電源の供給を停止、再供給することを特徴とする印刷システム。
【発明の詳細な説明】
【０００１】
【発明の属する技術分野】
本発明は、プリンタコントローラあるいは、プリンタエンジンコントローラにエラーが生じ、印刷作業が中断した場合に、プリンタコントローラとプリンタエンジンコントローラへの電源供給を自動的に停止、再供給することができる印刷システムに関する。
【０００２】
【従来の技術】
プリンタなどの印刷システムは、主にプリンタエンジン、エンジンを動かすプリンタエンジンコントローラ、そしてそのプリンタエンジンコントローラを制御するプリンタコントローラという構成で印刷作業を行っている。
【０００３】
【発明が解決しようとする課題】
上記の印刷システムにおいては、プリンタコントローラあるいはプリンタエンジンコントローラにエラーが生じた場合印刷作業は中断し、手動でプリンタコントローラもしくはプリンタエンジンコントローラをセットしなおさなければならない。
【０００４】
本発明は、プリンタコントローラあるいはプリンタエンジンコントローラにエラーが生じた場合に、そのエラーを判別し自動的にプリンタコントローラとプリンタエンジンコントローラへの電源供給を停止、再供給することを目的とする。
【０００５】
【課題を解決するための手段】
本発明は、プリンタエンジンを動かすプリンタエンジンコントローラと、前記プリンタエンジンコントローラを制御しているプリンタコントローラと、前記プリンタコントローラと前記プリンタエンジンコントローラに電源の供給・停止を行うスイッチング回路及び該回路を制御するエラー監視システムと、前記エラー監視システムと前記ホストコンピュータ間に備えたインターフェース部からなる、印刷データに基づいて印刷を行うプリンタを備えた印刷システムにおいて、前記プリンタコントローラあるいは前記プリンタエンジンコントローラにエラーが生じた場合、自動的に前記エラー監視システムが前記プリンタあるいは、前記プリンタコントローラと、前記プリンタエンジンコントローラへの電源の供給を停止、再供給することを特徴とする。
【０００６】
【発明の実施の形態】
以下、本発明の実施例を図面に基づいて詳細に説明する。図１および図２は、本発明の本実施例の印刷システムを示す図で、印刷データを生成するホストコンピュータ１、以下はプリンタ側の構成でプリンタエンジン６、プリンタエンジン６を動かしているプリンタエンジンコントローラ５と、プリンタエンジンコントローラ５の制御を行い、ホストコンピュータ１とインターフェース２を介して接続しているプリンタコントローラ４、プリンタコントローラ４とプリンタエンジンコントローラ５に電源供給を行う電源供給回路７とこの電源供給回路７を制御するエラー監視システム８と、エラー監視システム８とインターフェース３を介してホストコンピュータ１に接続している。
【０００７】
電源供給スイッチング回路７は、スイッチング素子を用いた回路で、プリンタコントローラ４とプリンタエンジンコントローラ５へ電源を供給または停止することができる。
【０００８】
エラー監視システム８は、電源供給回路７の電源の供給、あるいは停止の判断をおこなう。その判断をするための要因は、プリンタコントローラ４あるいはプリンタエンジンコントローラ５がエラー状態であるかどうかで、エラーであると判断した場合には電源供給を停止、その後に電源供給を再開する機能を有する。
また、自動的に電源供給を停止する前にホストコンピュータに停止確認や電源供給停止による印刷ジョブの取り消し内容を表示することもできる。
【０００９】
この装置で、印刷作業を行う場合のフローチャートを図２に示した。
【００１０】
まず、ホストコンピュータ１からエラー監視システム８に印刷ジョブが識別できる情報、例えばＩＤとファイル名を印刷ジョブ情報Ｉｎｄｅｘ（以下Ｉｎｄｅｘとする）として渡し（９）、プリンタコントローラには印刷ジョブとＩｎｄｅｘを渡す（１０）。
【００１１】
次に、プリンタコントローラ４がエラー監視システム８にＩｎｄｅｘを渡す（１１）。ここでＩｎｄｅｘの取得に失敗した場合は、プリンタコントローラ４がエラーを出したと判断する。その後、プリンタエンジンコントローラ５へ印刷の指示とＩｎｄｅｘを渡す（１２）。
【００１２】
その後、プリンタエンジンコントローラ５がエラー監視システム８にＩｎｄｅｘを渡す（１３）。ここで、プリンタコントローラで行った処理と同様に、Ｉｎｄｅｘの取得に失敗した場合は、プリンタエンジンコントローラ５がエラーを出したと判断する。プリンタエンジン６へ印刷指示した後に、プリンタエンジンコントローラからインデックス情報を取得し、取得失敗の場合はプリンタエンジンコントローラ５がエラーを出したと判断する。その後、プリンタエンジンコントローラはプリンタエンジンに印刷指示を渡す（１４）。
【００１３】
プリンタコントローラ４あるいはプリンタエンジンコントローラ５にエラーが生じなければ正常に印刷しているということが分かる（１５）。
【００１４】
ここで、プリンタコントローラあるいはプリンタエンジンコントローラにエラーが生じた場合、エラー監視システム８は、電源供給スイッチング回路７を制御してプリンタコントローラ４とプリンタエンジンコントローラ５への電源供給を停止し、Ｉｎｄｅｘを基にホストコンピュータ１へ未処理の印刷ジョブを削除したという情報を渡す。さらに、プリンタコントローラ４とプリンタエンジンコントローラ５を再セットアップするために電源供給を再開する（１６）。
【００１５】
【発明の効果】
以上説明したように、本発明の装置によればプリンタコントローラあるいはプリンタエンジンコントローラにエラーが生じた場合、自動的にプリンタコントローラとプリンタエンジンコントローラをセットしなおすことができる。
【図面の簡単な説明】
【図１】本発明印刷システムの実施例を示す全体構成ブロック図である。
【図２】本発明印刷システムの実施例を示す印刷作業の流れを示すフローチャート図
である。
【符号の説明】
１はホストコンピュータ、２、３はインターフェース、４はプリンタコントローラ、５はプリンタエンジンコントローラ、６はプリンタエンジン、７はスイッチング回路、８はエラー監視システムである。
【図１】
2004178516.tif 000003
【図２】
2004178516.tif 000004